(57)【要約】【課題】端末画面、端末画面の制御方法、および端末を提供すること。【解決手段】端末画面は、基板および基板上に配置された表示層を含む。表示層は主表示領域およびｎ個の補助表示領域を含み、ｎは正の整数である。主表示領域、およびｎ個の補助表示領域の中のｉ番目の補助表示領域は異なる製造属性を有し、ｉはｎ以下の正の整数である。本開示において、一体構造の表示層は基板上に形成され、製造工程によって主表示領域および補助表示領域に分割される。主表示領域および補助表示領域は、異なる製造属性を有する。【選択図】図１
2021502581.tif 000002
【特許請求の範囲】
【請求項１】
基板および該基板上の表示層を含み、
該表示層が、主表示領域およびｎ個の補助表示領域を含み、ｎが正の整数であり、
該主表示領域、および該ｎ個の補助表示領域の中のｉ番目の補助表示領域が、異なる製造属性を有し、ｉがｎ以下の正の整数である、
端末画面。
【請求項２】
前記製造属性が、解像度を含み、前記主表示領域の該解像度が、前記ｉ番目の補助表示領域の該解像度より高い、請求項１に記載の端末画面。
【請求項３】
前記製造属性が、光透過性能を含み、前記主表示領域の該光透過性能が、前記ｉ番目の補助表示領域の該光透過性能より劣る、請求項１に記載の端末画面。
【請求項４】
前記製造属性が、画素特性を含む、請求項１に記載の端末画面。
【請求項５】
前記主表示領域および前記ｉ番目の補助表示領域が、同じ画素分布パターンを有し、少なくとも１つのダミー画素が、前記ｉ番目の補助表示領域に存在する、請求項４に記載の端末画面。
【請求項６】
前記主表示領域および前記ｉ番目の補助表示領域が、異なる画素分布パターンを有する、請求項４に記載の端末画面。
【請求項７】
前記製造属性が、製造工程を含む、請求項１に記載の端末画面。
【請求項８】
前記基板が、前記主表示領域の下の第１の基板領域、および前記ｎ個の補助表示領域の下のｎ個の第２の基板領域をそれぞれ含み、
該第１の基板領域、および該ｎ個の第２の基板領域の中のｊ番目の第２の基板領域が、異なる材料から作られ、ｊがｎ以下の正の整数である、
請求項１に記載の端末画面。
【請求項９】
前記第１の基板領域が、ポリイミドＰＩから作られ、前記ｊ番目の第２の基板領域が、ガラスから作られること、
前記第１の基板領域が、第１の属性を有するガラスから作られ、前記ｊ番目の第２の基板領域が、第２の属性を有するガラスから作られ、該第１の属性および該第２の属性が、２つの異なる属性であること、ならびに
前記第１の基板領域が、第３の属性を有するＰＩから作られ、前記ｊ番目の第２の基板領域が、第４の属性を有するＰＩから作られ、該第３の属性および該第４の属性が、２つの異なる属性であること、
のうちの１つをさらに含む、請求項８に記載の端末画面。
【請求項１０】
前記ｎ個の補助表示領域が、
前記主表示領域の最上部の縁部に形成されたノッチ部分にある第１の補助表示領域と、
前記主表示領域の左側の縁部に形成されたノッチ部分にある第２の補助表示領域と、
前記主表示領域の右側の縁部に形成されたノッチ部分にある第３の補助表示領域と、
前記主表示領域の最下部の縁部に形成されたノッチ部分にある第４の補助表示領域と、
前記主表示領域の中心部に形成されたノッチ部分にある第５の補助表示領域と
の領域のうちの少なくとも１つを含む、請求項１に記載の端末画面。
【請求項１１】
前記主表示領域および前記補助表示領域が、同じ駆動用ＩＣを共有することと、
前記主表示領域および前記補助表示領域が、異なる駆動用ＩＣを使用することと
のうちの１つを含む、請求項１に記載の端末画面。
【請求項１２】
前記ｉ番目の補助表示領域が単色表示機能を有することと、
前記ｉ番目の補助表示領域が色彩表示機能を有することと
のうちの１つを含む、請求項１に記載の端末画面。
【請求項１３】
請求項１に記載の端末画面を備える端末。
【請求項１４】
端末画面を備え
該端末画面が、基板および該基板上の表示層を含み、
該表示層が、主表示領域および補助表示領域を含み、該補助表示領域の光透過性能が該主表示領域の該光透過性能より優れており、
機能デバイスが、該補助表示領域の下に配置される、
端末。
【請求項１５】
前記機能デバイスが、以下のハードウェアユニット、すなわち
カメラ、イヤホン、光センサ、距離センサ、バイオセンサ、環境センサ、食品安全性検出センサ、健康センサ、および光送信器
のうちの少なくとも１つを備える、請求項１４に記載の端末。
【請求項１６】
前記補助表示領域が、３０％より大きい光透過率を有する、請求項１４に記載の端末。
【請求項１７】
請求項１に記載の端末画面を制御するように構成され、
第１の同期信号を前記主表示領域に、また第２の同期信号を前記補助表示領域に送信するステップであって、該第１の同期信号および該第２の同期信号が、同じコンテンツを同時に表示するために前記主表示領域および前記補助表示領域を制御するように構成される、ステップ
を含む、端末画面の制御方法。
【請求項１８】
前記主表示領域内の第１の画素によって表示されるのに必要な第１の色に従って、該第１の色に対応する第１の色彩パラメータを前記主表示領域に送信するステップと、
前記補助表示領域内の第２の画素によって表示されるのに必要な第２の色に従って、該第２の色に対応する第２の色彩パラメータを前記補助表示領域に送信するステップと
をさらに含み、
該第１の色と該第２の色が同じであるとき、該第１の色彩パラメータに従って該第１の画素によって提示される色彩効果が、該第２の色彩パラメータに従って該第２の画素によって提示される色彩効果と同じである、
請求項１７に記載の制御方法。
【請求項１９】
前記主表示領域および前記補助表示領域によって表示されるのに必要な前記コンテンツに従って、前記主表示領域内の前記補助表示領域との結合部分の表示パラメータを判断するステップであって、該結合部分の該表示パラメータが、前記主表示領域の表示効果から前記補助表示領域の表示効果への滑らかな遷移を保証するように構成される、ステップと、
該結合部分の該表示パラメータを前記主表示領域に送信するステップであって、前記主表示領域が、該結合部分の該表示パラメータに従って表示するように該結合部分を制御するように構成される、ステップと
をさらに備える、請求項１７に記載の制御方法。
【請求項２０】
請求項１に記載の端末画面を備え、
プロセッサと、
該プロセッサによって実行可能な命令を格納するためのメモリと
をさらに備え、
該プロセッサが、
第１の同期信号を前記主表示領域に、また第２の同期信号を前記補助表示領域に送信することであって、該第１の同期信号および該第２の同期信号が、同じコンテンツを同時に表示するために前記主表示領域および前記補助表示領域を制御するように構成される、送信すること
を行うように構成される、
端末。
【発明の詳細な説明】
【技術分野】
【０００１】
本出願は、２０１８年９月２１日に出願の中国特許出願第２０１８１１１０９９０８．０号、および２０１８年１１月１６日に出願の中国特許出願第２０１８１１３６８００４．Ｘ号に基づき、これらの優先権を主張するものであり、これらの内容全体が参照により本明細書に組み込まれる。
【０００２】
本開示の実施形態は、表示画面の技術分野に関し、より詳細には、端末画面、端末画面の制御方法、および端末に関する。
【背景技術】
【０００３】
携帯電話業界は、画面対本体比への探求がますます高まっており、１００％に迫る画面対本体比を有する携帯電話を生み出すことを考えている。
【０００４】
携帯電話の画面対本体比を増加させる際の難しさは、画面対本体比を最大化するために、機能デバイス（例えば、カメラ、イヤホン、光センサ、距離センサ、および指紋センサ、等）を、どのようにして携帯電話の前面パネル上に無理なく配置させるかにある。現在、当業界によって採用される大多数の解決策は、携帯電話の画面を特殊形状の画面構造に設計することである。例えば、携帯電話の画面の最上部にノッチが形成される。次に、上述の機能デバイスが、ノッチの前面パネル上に配置される。
【発明の概要】
【発明が解決しようとする課題】
【０００５】
特殊形状の画面の画面対本体比はある程度増加するが、ノッチにより、画面内の表示コンテンツが、それに応じて部分的に欠けるという重大な問題が依然として存在し、一体性が乏しくなる。
【課題を解決するための手段】
【０００６】
本開示の実施形態は、端末画面、端末画面の制御方法、および端末を提供する。技術的解決策は以下のようなものである。
【０００７】
本開示の第１の態様によれば、基板および基板上の表示層を含む端末画面が提供される。表示層は、主表示領域およびｎ個の補助表示領域を含み、ｎは正の整数である。主表示領域、およびｎ個の補助表示領域の中のｉ番目の補助表示領域は、異なる製造属性を有し、ｉはｎ以下の正の整数である。
【０００８】
本開示の第２の態様によれば、第１の態様における端末画面を備えるか、第１の態様におけるいずれかの任意選択の設計によってもたらされる端末が提供される。
【０００９】
本開示の第３の態様によれば、端末画面を備える端末が提供される。端末画面は、基板および基板上の表示層を含む。表示層は、主表示領域および補助表示領域を含み、補助表示領域の光透過性能は、主表示領域の光透過性能より優れている。機能デバイスは、補助表示領域の下に配置される。
【００１０】
本開示の第４の態様によれば、第１の態様における端末画面を制御するように構成されるか、第１の態様におけるいずれかの任意選択の設計によってもたらされる、端末画面の制御方法が提供される。
方法は、第１の同期信号を主表示領域に、また第２の同期信号を補助表示領域に送信することであって、第１の同期信号および第２の同期信号が、同じコンテンツを同時に表示するために主表示領域および補助表示領域を制御するように構成され、送信することを含む。
【００１１】
本開示の第５の態様によれば、第１の態様における端末画面を備えるか、第１の態様におけるいずれかの任意選択の設計によってもたらされる、端末が提供される。
端末は、プロセッサと、プロセッサによって実行可能な命令を格納するためのメモリと、をさらに備える。プロセッサは、第１の同期信号を主表示領域に、また第２の同期信号を補助表示領域に送信することであって、第１の同期信号および第２の同期信号が、同じコンテンツを同時に表示するために主表示領域および補助表示領域を制御するように構成され、送信することを行うように構成される。
【００１２】
前述の全般的な説明と以下の詳細な説明の両方は、例示的かつ説明的なものにすぎず、本開示を限定するものではないということを理解されたい。
【００１３】
添付の図面は、本明細書に組み込まれて本明細書の一部とみなされ、本開示と一致した実施形態を示し、本説明とともに本開示の原理を説明するのに役立つ。
【図面の簡単な説明】
【００１４】
【図１】本開示の一態様による端末画面の概略図である。
【００１５】
【図２Ａ】主表示領域の画素分布パターンの概略図を例示的に示す図である。
【図２Ｂ】補助表示領域の画素分布パターンの概略図を例示的に示す図である。
【００１６】
【図３Ａ】主表示領域の別の画素分布パターンの概略図を例示的に示す図である。
【図３Ｂ】補助表示領域の別の画素分布パターンの概略図を例示的に示す図である。
【００１７】
【図４−９】主表示領域および補助表示領域のいくつかの位置関係の概略図を例示的に示す図である。
【図４】主表示領域および補助表示領域の第一の位置関係の概略図を示す図である。
【図５】主表示領域および補助表示領域の第一の位置関係の概略図を示す図である。
【図６】主表示領域および補助表示領域の第二の位置関係の概略図を示す図である。
【図７】主表示領域および補助表示領域の第三の位置関係の概略図を示す図である。
【図８】主表示領域および補助表示領域の第四の位置関係の概略図を示す図である。
【図９Ａ】主表示領域および補助表示領域の第一の位置関係の概略図を示す図である。
【図９Ｂ】主表示領域および補助表示領域の第一の位置関係の概略図を示す図である。
【図９Ｃ】主表示領域および補助表示領域の第一の位置関係の概略図を示す図である。
【００１８】
【図１０】本開示の一態様による端末の概略図である。
【００１９】
【図１１】本開示の一態様による端末画面の制御デバイスのブロック図である。
【００２０】
【図１２】例示的な実施形態による端末の構造のブロック図である。
【発明を実施するための形態】
【００２１】
ここから、例示的な実施形態への参照が詳細に行われ、これらの例は、添付の図面の中で示される。以下の説明は添付の図面を参照し、この中で、異なる図面内の同じ番号は、別途示されない限り、同じまたは類似の要素を表す。例示的な実施形態についての以下の説明において示される実装形態は、本開示と一致した全ての実装形態を表していない。むしろこれらは、添付の請求の範囲において列挙されるような、本発明に関連した態様と一致したデバイスおよび方法の例にすぎない。
【００２２】
図１は、本開示の態様による端末画面の概略図である。図１に示されるように、端末画面は、基板１０および基板１０の上に配置された表示層２０を含むことができる。
【００２３】
表示層２０は、端末画面の表示機能を実現するように構成される。本開示の本実施形態において、表示層２０は、主表示領域２１およびｎ個の補助表示領域２２を含み、ｎは正の整数である。主表示領域２１と補助表示領域２２の両方が表示機能を有する。１つまたは複数の補助表示領域２２が存在することができる。図１においては、概略的に説明するために、１つの補助表示領域２２が存在する。
【００２４】
本開示の本実施形態において、表示層２０は、主表示領域２１および補助表示領域２２を含み、これらは、２つの異なる表示領域であるが、物理構造における一体型の統一体である。すなわち表示層２０は一体構造のものであり、複数の独立構成部分には分割されない。
【００２５】
表示層２０を形成するように接合される複数の独立構成部分を表示領域２０が含む場合、接合位置において一定のすきまが必然的に抜け、これは最終的に、構成部分の表示コンテンツの間にすきまを生じさせる。必然的に、表示層２０全体の表示コンテンツは、一体型の統一体、または、すきまのないものではなくなる可能性がある。
【００２６】
しかし、本開示の本実施形態において、主表示領域２１および補助表示領域２２は物理構造における一体型の統一体であり、これらの間にはすきまがないので、主表示領域２１の表示コンテンツと補助表示領域２２の表示コンテンツとの間にすきまがなくなることになる。したがって表示層２０全体の表示コンテンツは一体型の統一体、かつ、すきまのないものである。
【００２７】
さらに、本開示の本実施形態において、主表示領域２１または補助表示領域２２に表示されるコンテンツは限定されない。例えば主表示領域２１および補助表示領域２２は、同じユーザ・インターフェースの異なる部分を表示することができ、２つの表示コンテンツは、一体型の統一体、かつ、すきまのないものであり、より良い全画面体感をユーザにもたらす。
【００２８】
本開示の本実施形態において、主表示領域２１、およびｎ個の補助表示領域２２の中のｉ番目の補助表示領域は、異なる製造属性を有し、ｉはｎ以下の正の整数である。
【００２９】
表示層２０が１つの補助表示領域２２を含むとき、主表示領域２１および補助表示領域２２は異なる製造属性を有する。
【００３０】
表示層２０が複数の補助表示領域２２を含むとき、主表示領域２１は、補助表示領域２２のうちのいずれか１つとは異なる製造属性を有することができ、複数の補助表示領域２２とは異なる製造属性を有することもできる。例えば主表示領域２１は、各補助表示領域２２とは異なる製造属性を有することができる。さらに、複数の補助表示領域２２は、同じまたは異なる製造属性を有することができる。
【００３１】
本開示の本実施形態において、製造属性は、製造中に形成される物理属性を含むことができる。任意選択で、製造属性は、解像度、光透過性能、画素特性、および製造工程のうちの少なくとも１つを含むことができるがこれらに限定されない。
【００３２】
例えば製造属性は、解像度を含むことができる。任意選択で、主表示領域２１の解像度は、ｉ番目の補助表示領域の解像度より高い。本開示の本実施形態に関する「解像度」は、表示解像度または画面解像度と呼ばれることもあり、画面によって表示されることが可能な画素数を表すための指標である。例えば主表示領域２１の解像度は、４００ｐｐｉ（ピクセル・パー・インチ）であり、ｉ番目の補助表示領域の解像度は、ほんの１００ｐｐｉであり、ことによるとこれよりも少ない。極端な条件下では、ｉ番目の補助表示領域は、１つの画素しか有していないことがある。すなわち、ｉ番目の補助表示領域の各フレームは、単一色またはＲＧＢの混合によって形成される色彩ブロックを表示することしかできない。
【００３３】
別の例において、製造属性は、光透過性能を含むことができる。主表示領域２１の光透過性能は、ｉ番目の補助表示領域の光透過性能とは異なる。例えば主表示領域２１およびｉ番目の補助表示領域を同じ光が通り過ぎた後、現れた光は、波長、振幅、または位相位置が異なる。任意選択で、光透過性能が光の媒体通過能力を表すとき、主表示領域２１の光透過性能は、ｉ番目の補助表示領域の光透過性能より劣る。光透過性能は、媒体（例えば本開示の本実施形態における主表示領域２１および補助表示領域２２）を通過する光束の、入射光束に対する百分率である、光透過率によって表されることが可能である。光透過率は透過率と呼ばれることもある。任意選択で、ｉ番目の補助表示領域は、光透過率が３０％より大きい。一方、ｉ番目の補助表示領域は、光透過率が４０％より大きい。一方、ｉ番目の補助表示領域は、光透過率が５０％より大きい。可能な条件下では、ｉ番目の補助表示領域は完全に透明であり、すなわち、ｉ番目の補助表示領域の光透過率は１００％である。
【００３４】
別の例において、製造属性は、画素特性を含む。画素特性は、表示層２０に形成される画素の物理特性を含むことができ、画素サイズ、画素分布密度、および画素分布パターンのうちの少なくとも１つを含むがこれらに限定されない。
【００３５】
可能な実装形態において、主表示領域２１およびｉ番目の補助表示領域は、同じ画素分布パターンを有し、少なくとも１つのダミー画素がｉ番目の補助表示領域に存在する。例えば、図２Ａは、主表示領域２１の画素分布パターンを示し、図２Ｂは、ｉ番目の補助表示領域の画素分布パターンを示す。２つの画素分布パターンは同じであり、いくつかのダミー画素（例えば図２Ｂにおいて影のついた画素）がｉ番目の補助表示領域に存在するということが図２Ａ、２Ｂからわかる。１つのケースにおいて、ダミー画素は、通常の画素の発光能力より弱い発光能力を有する発光画素であることが可能である。
【００３６】
別のケースにおいて、ダミー画素は、非発光画素であることが可能である。典型的には、ダミー画素の実装方式は、ダミー画素がアクセス回路につながっていないということ、ダミー画素が駆動用ＴＦＴ（Ｔｈｉｎ  Ｆｉｌｍ  Ｔｒａｎｓｉｓｔｏｒ（薄膜トランジスタ））につながっていないということ、およびダミー画素が、発光のための材料または製造層につながっていないか足りないということのうちの少なくとも１つを含むがこれらに限定されない。例えばＯＬＥＤ（Ｏｒｇａｎｉｃ  Ｌｉｇｈｔ−Ｅｍｉｔｔｉｎｇ  Ｄｉｏｄｅ（有機発光ダイオード））画面について、画素定義層（ＰＬＤ：ｐｉｘｅｌ  ｄｅｆｉｎｉｔｉｏｎ  ｌａｙｅｒ）は一定の画素領域内に封止されることが可能であり、その結果、非発光ダミー画素として画素領域が実装される。主表示領域２１および補助表示領域２２が同じ画素分布パターンを有するとき、表示層２０の加工生産はより簡単になる。
【００３７】
別の可能な実装形態において、主表示領域２１およびｉ番目の補助表示領域は、異なる画素分布パターンを有する。例えば、図３Ａは主表示領域２１の画素分布パターンを示し、図３Ｂは、ｉ番目の補助表示領域の画素分布パターンを示す。２つの画素分布パターンが異なるということが図３Ａ、３Ｂからわかる。主表示領域２１および補助表示領域２２が異なる画素分布パターンを有するとき、表示層２０の加工生産はより複雑になる。しかし、主表示領域２１および補助表示領域２２が異なる画素分布パターンを有するが、同じ画素サイズおよび画素分布密度を有する場合、主表示領域２１および補助表示領域２２は、光透過率および表示輝度が近くなる。したがって、表示効果が高まる。
【００３８】
別の例において、製造属性は、製造工程を含む。製造工程は、表示層２０を製造するために採用される加工ステップを意味する。任意選択で、ｉ番目の補助表示領域の製造工程は、主表示領域２１の製造工程に基づいて、一定の／いくつかの加工ステップが追加、縮小、または修正されたものである。１つの例において、ｉ番目の補助表示領域の光透過率を主表示領域２１の光透過性能より大きくするために、いくつかの加工ステップが追加されることが可能である。ｉ番目の補助表示領域における光透過率に悪影響を及ぼす材料は除去される。いくつかの透明な材料が適切に追加される。したがってｉ番目の補助表示領域および主表示領域２１は厚さが同じであるが、光透過率が異なる。
【００３９】
さらに、主表示領域２１は、色彩表示機能を有する。補助表示領域２２のいずれかの１つ（例えばｉ番目の補助表示領域）は単色表示機能を有することができ、色彩表示機能を有することもできる。補助表示領域２２が単色表示機能を有するとき、補助表示領域２２全体は一色だけを同時に提示することができ、異なる時間に異なる色を提示することができる。補助表示領域２２が色彩表示機能を有するとき、補助表示領域２２全体は、様々な異なる色を同時に提示することができる。例えば画素の一方の部分は赤であり、画素の他方の部分は茶色である。
【００４０】
任意選択で、機能デバイスは、補助表示領域２２の下に配置される。機能デバイスは、以下のハードウェアユニット、すなわち、カメラ、イヤホン、光センサ、距離センサ、バイオセンサ、環境センサ、食品安全性検出センサ、健康センサ、および光送信器のうちの少なくとも１つを含むがこれらに限定されない。ここで、カメラは画像撮影機能を行うように構成され、例えば、一般的なカメラ、赤外線カメラ、深度カメラ、等である。イヤホンは音再生機能を実現するように構成される。光センサは、環境光の強さを取得するように構成される。距離センサは、前面にある物体の距離を取得するように構成される。バイオセンサは、例えば、指紋認識センサ、虹彩認識センサ、等といった、ユーザの生物学的特徴を識別するように構成される。環境センサは、環境情報を取得するように構成され、例えば、温度センサ、湿度センサ、気圧センサ、等である。食品安全性検出センサは、食品に含まれるいくつかの有害物質の指標を検出するように構成され、例えば、光学センサ、生体認証センサ、等である。健康センサは、ユーザの健康情報を取得するように構成され、例えば、ユーザの心拍数、血圧、心拍、または他の人体データを取得するためのセンサである。光送信器は光を送信するための機能デバイスであり、例えば、赤外線送信器、または他の光を送信するためのいくつかの送信器である。
【００４１】
１つまたは複数の機能デバイスが補助表示領域２２の下に配置されることが可能である。例えばカメラおよび距離センサは、一定の補助表示領域２２の下に配置される。さらに、表示層２０が複数の補助表示領域２２を含むとき、上述の機能デバイスは、いくつかの補助表示領域２２の下に配置されてもされなくてもよく、同じまたは異なる機能デバイスが、２つの異なる補助表示領域２２の下に配置されることが可能である。例えばカメラおよび距離センサが、１つの補助表示領域２２の下に配置され、指紋認識センサが、別の補助表示領域２２の下に配置される。
【００４２】
任意選択で、ｎ個の補助表示領域２２は、以下のうちの少なくとも１つを含む。
【００４３】
１．図４に示されるように、主表示領域２１の最上部の縁部に形成されたノッチ部分に配置された第１の補助表示領域２２ａ。
【００４４】
２．図５に示されるように、主表示領域２１の左側の縁部に形成されたノッチ部分に配置された第２の補助表示領域２２ｂ。
【００４５】
３．図６に示されるように、主表示領域２１の右側の縁部に形成されたノッチ部分に配置された第３の補助表示領域２２ｃ。
【００４６】
４．図７に示されるように、主表示領域２１の最下部の縁部に形成されたノッチ部分に配置された第４の補助表示領域２２ｄ。
【００４７】
５．図８に示されるように、主表示領域２１の中心部に形成されたノッチ部分に配置された第５の補助表示領域２２ｅ。
【００４８】
表示領域２０における補助表示領域２２の種類は、実際のニーズに応じて設計されることが可能であるということに留意されたい。例えば表示層２０は、第１の補助表示領域を含むだけでよい。カメラおよび距離センサのような機能デバイスは、第１の補助表示領域の下に配置される。別の例として、表示層２０は、第１の補助表示領域、第２の補助表示領域、および第３の補助表示領域を含むことができる。カメラおよび距離センサは、第１の補助表示領域の下に配置される。光センサは、第２の補助表示領域の下に配置される。環境センサは、第３の補助表示領域の下に配置される。別の例として、表示領域２０は、第１の補助表示領域および第４の補助表示領域を含むことができる。カメラおよび距離センサは、第１の補助表示領域の下に配置される。指紋認識センサは、第４の補助表示領域の下に配置される。別の例として、表示層２０は、第１の補助表示領域および第５の補助表示領域を含むことができる。カメラおよび距離センサは、第１の補助表示領域の下に配置される。指紋認識センサは、第５の補助表示領域の下に配置される。上記の説明は例示的かつ説明的なものにすぎず、本開示の技術的解決策を限定することを意図するものではない。
【００４９】
通常、端末画面の縁部の下に限られたスペースが存在することを考慮すると、主表示領域２１の縁部に形成されたノッチ部分に補助表示領域２２がある場合、比較的小さいサイズのいくつかの機能デバイスが、補助表示領域２２の下に配置されるのにより適している。主表示領域２１の中心部に形成されたノッチ部分に補助表示領域２２がある場合、比較的大きいサイズのいくつかの機能デバイスが、補助表示領域２２の下に配置されるのにより適している。実際には、補助表示領域２２の位置は、端末内に配置されることを必要とする機能デバイスに応じて適度に設計されることが可能であり、その結果、機能デバイスのために十分なスペースが用意されることが可能であり、ユーザの使用習慣がより良く満たされる。
【００５０】
本開示の本実施形態において、補助表示領域２２の横断面の形状は限定されず、長方形、角丸長方形、円、等などの規則的な形状であることが可能であり、水滴、弧、等などの不規則な形状であることも可能であるということに留意されたい。
【００５１】
さらに、図４〜図８に示されるように、実施形態は、主表示領域２１の縁部または中心部にノッチ部分が形成され、ノッチ部分に補助表示領域２２が配置されるということを、説明のための例としているにすぎない。他のいくつかの可能な実施形態において、主表示領域２１は、ノッチ部分につながっていなくてもよい。補助表示領域２２は、主表示領域２１の一定の側縁部の近くに配置されることが可能であり、主表示領域２１と密接に接続している。または、表示層２０は、主表示領域２１に形成されたノッチ部分の補助表示領域２２だけでなく、主表示領域２１の一定の側縁部の近くに配置された補助表示領域２２も含むことができる。
【００５２】
図９Ａから９Ｃは、主表示領域２１と補助表示領域２２の間のいくつかの可能な位置関係を示す。
任意選択で、端末画面は、長方形、角丸長方形、および円のうちの少なくとも１つを含む規則的な形状である。間違いなく、他のいくつかの可能な実施形態において、端末画面は、不規則な形状であることが可能であり、本開示によって限定されることはない。
【００５３】
さらに、基板１０は、主表示領域２１の下に配置された第１の基板領域、およびｎ個の補助表示領域２２の下に配置されたｎ個の第２の基板領域をそれぞれ含むことができる。基板１０上の主表示領域２１の投影領域は第１の基板領域であり、基板１０の上の任意の補助表示領域２２の投影領域は、補助表示領域２２に対応する第２の基板領域である。
【００５４】
可能な実装形態において、第１の基板領域およびｎ個の第２の基板領域は、同じ材料から作られる。すなわち基板１０は、同じ材料から作られた基板全体である。例えば基板１０は、ガラスまたはＰＩから作られることが可能である。
【００５５】
別の可能な実装形態において、第１の基板領域および少なくとも１つの第２の基板領域は、異なる材料から作られる。例えば、第１の基板領域およびｎ個の第２の基板領域の中のｊ番目の第２の基板領域は異なる材料から作られ、ｊはｎ以下の正の整数である。典型的には、第１の基板領域はＰＩから作られ、ｊ番目の第２の基板領域はガラスから作られる。ガラスは、光透過率がＰＩより良い。しかしガラスは硬い材料であり、柔軟性がない一方で、柔軟性のある画面は、ＰＩで作られることが可能である。上記の方式の採用によって、主表示領域２１に対応する第１の基板領域がＰＩから作られるので、端末画面の大部分の領域は、柔軟性のある画面の設計を実現するために曲げることができる。さらに、補助表示領域２２に対応する第２の基板領域は、光透過率がより良いガラスから作られるので、補助表示領域２２の下に配置されるカメラおよびセンサのような感光性デバイスは、動作性能が良くなる。
【００５６】
間違いなく、いくつかの他の実装形態において、第１の基板領域は、第１の属性を有するガラスから作られることが可能であり、ｊ番目の第２の基板領域は、第２の属性を有するガラスから作られる。第１の属性および第２の属性は、２つの異なる属性である。例えば第１の属性を有するガラスおよび第２の属性を有するガラスは、異なるガラス繊維成分を有する。または、第１の基板領域は、第３の属性を有するＰＩから作られることが可能であり、ｊ番目の第２の基板領域は、第４の属性を有するＰＩから作られ、第３の属性および第４の属性は、２つの異なる属性である。例えば、第３の属性を有するＰＩは黄色のＰＩであり、第４の属性を有するＰＩはカラーのＰＩである。カラーのＰＩの光透過性能は、黄色のＰＩの光透過性能より優れている。
【００５７】
端末画面の基板１０は、一体構造のものであるということに留意されたい。すなわち主表示領域および補助表示領域は同じ基板上に形成される。第１の基板領域および第２の基板領域が同じ材料から作られる場合、基板１０は、同じ材料から作られたプレート全体である。第１の基板領域および第２の基板領域が異なる材料から作られる場合、第１の基板領域および第２の基板領域は、一体構造の基板１０を形成するための関連工程によって継ぎ目なく接合されることが可能である。
【００５８】
さらに、表示層２０は通常、駆動用ＩＣによって制御される。１つの例において、主表示領域２１および補助表示領域２２は、同じ駆動用ＩＣを共有する。例えば駆動用ＩＶは、２つの部分に分割されることが可能であり、一方は、主表示領域２１を駆動させるためのものであり、他方は、補助表示領域２２を駆動させるためのものである。別の例において、主表示領域２１および補助表示領域２２は、異なる駆動用ＩＣを使用する。例えば端末画面は、２つの駆動用ＩＣを備え、一方は、主表示領域２１を駆動させるためのものであり、他方は、補助表示領域２２を駆動させるためのものである。さらに、表示層２０が複数の補助表示領域２２を含むとき、複数の補助表示領域２２は、同じ駆動用ＩＣを共有することができ、異なる駆動用ＩＣを使用することもでき、本開示によって限定されることはない。
【００５９】
さらに、端末画面は、上述の基板１０および表示層２０のほかに、タッチ感応層およびガラス・カバー・プレートをさらに備えることができる。タッチ感応層は表示層２０の上に配置され、ガラス・カバー・プレートは、タッチ感応層の上に配置される。タッチ感応層は、例えば、ユーザの指のクリック、スライド、およびプレスのような動作を検出するためのタッチ感応機能を実現するように構成される。ガラス・カバー・プレートは、端末画面の耐用年数を延ばすために、端末画面を保護するように構成される。
【００６０】
本開示の本実施形態によって提供される端末画面は、ＬＣＤ（Ｌｉｑｕｉｄ  Ｃｒｙｓｔａｌ  Ｄｉｓｐｌａｙ（液晶ディスプレイ））画面またはＯＬＥＤ画面であることが可能である。ＯＬＥＤ画面であるとき、端末画面は、柔軟性のある画面であることも、柔軟性のない画面であることも可能である。
【００６１】
端末画面がＬＣＤ画面であるとき、表示層２０は、最下部から最上部まで順次配置される、ＴＦＴアレイ、液晶層、およびＣＦ（カラーフィルタ）を備えることができる。表示層２０の下に配置される基板は、ガラスから作られることが可能であり、下部基板と呼ばれる。通常、ガラスから作られることも可能な上部基板が、表示層２０の上にさらに配置される。さらに、下部偏光板（ｐｏｌａｒｏｉｄ）が下部基板の下に配置されることも可能であり、上部偏光板が上部基板上に配置されることも可能である。さらに、ＬＣＤ画面は、下部偏光板の下に配置されたバックライト・モジュールをさらに備える。
【００６２】
端末画面がＯＬＥＤ画面であるとき、表示層２０は、最下部から最上部まで順次配置される、ＩＴＯ（Ｉｎｄｉｕｍ  Ｔｉｎ  Ｏｘｉｄｅ（インジウム・スズ酸化物））アノード、正孔輸送層、有機発光層、電子輸送層、および金属カソードを備えることができる。表示層２０の下に配置される基板は、ガラス、プラスチック、金属箔、または他の材料から作られることが可能である。
【００６３】
間違いなく、ＬＣＤ画面およびＯＬＥＤ画面の層状構造についての上記の説明は、例示的かつ説明的なものにすぎず、本開示の技術的解決策を限定することを意図するものではない。
【００６４】
１つの例において、リジッドＡＭＯＬＥＤ（アクティブ・マトリックス有機発光ダイオード）画面を例にとると、リジッドＡＭＯＬＥＤの生産工程は、例えば（例えば９０％より大きい）優秀な光透過率を有するガラス基板といった基板を用意することと、例えば、最初に、基板の表面全体の上に絶縁層および平坦層を形成し、その後、アノード、画素定義層、正孔注入層、正孔輸送層、電子励起層（様々な色を形成するための複数の層を含む）、電子輸送層、電子注入層、およびカソードを順次形成することといった、基板上に複数の機能層を含む表示層を形成することと、最後に、ＡＭＯＬＥＤ画面を形成するためのパッケージ工程を行うことと、を行うステップを含むことができる。本開示の本実施形態による主表示領域および補助表示領域を含むＡＭＯＬＥＤ画面を生産するために、画面本体の、補助表示領域が配置される位置で関連作業が行われる必要がある。例えば、補助表示領域におけるカソードの生産中、例えば透明なＩＴＯ材料といった高い光透過率を有するカソード材料が選択される。生産中、（主表示領域および補助表示領域を含む）ＡＭＯＬＥＤ画面全体は、高い光透過率を有する上述のカソード材料から作られることが可能である。
【００６５】
一方、補助表示領域だけは、高い光透過率を有するカソード材料から作られるが、主表示領域は、依然として、低い光透過率を有する従来のカソード材料から作られる。主表示領域および補助表示領域が異なるカソード材料から作られる場合、主表示領域のカソードは、最初に生成されることが可能である（このとき補助表示領域は遮蔽される）。この後、補助表示領域のカソードが生成される（このとき主表示領域は遮蔽される）。カソードの生産工程は、蒸着、コーティング、噴霧塗装、およびスパッタリングのうちの少なくとも１つを含むがこれらに限定されない。間違いなく、上記で紹介されたリジッドＡＭＯＬＥＤ画面の生産工程は例示的かつ説明的なものにすぎない。前述の技術工程は、実際の生産要求を満たすための実際の条件に応じて増加、減少、または調節されることが可能である。さらに、上記の紹介は、リジッドＡＭＯＬＥＤ画面の技術的生産工程を、説明のための例としているにすぎない。本開示の本実施形態によって提供されるコンテンツに基づいて、柔軟性のあるＡＭＯＬＥＤ画面、他のＯＬＥＤ画面、またはＬＣＤ画面の技術的生産工程を得るための専門知識によって前述の技術工程を当業者が拡大することは明らかである。主表示領域および補助表示領域の形成中、機能層の一部は、主表示領域および補助表示領域をそれぞれに処理することなく、一体基板上で同期的に形成されることが可能であるということを理解されたい。
【００６６】
要約すれば、本開示の実施形態によって提供される技術的解決策において、一体構造の表示層は、製造工程によって基板上に配置され、主表示領域および補助表示領域に分割される。主表示領域および補助表示領域は、異なる製造属性を有する。主表示領域と補助表示領域の両方が表示機能を有し、これらの間に接合するすきまがないので、主表示領域および補助表示領域の表示コンテンツは、一体型の統一体であり、不完全であること、およびすきまのような欠点から解放されていることが可能である。さらに、特殊形状の画面と比較して、端末画面には、画面対本体比が１００％に迫るか、ことによると１００％に達するようにさらに増加されるという長所がある。
【００６７】
さらに、したがって、カメラ、光センサ、および指紋認識センサのような機能デバイスは、補助表示領域の下に配置されることが可能であり、端末の前面パネルのスペースを占有する機能デバイスは、画面の下に配置される。したがって端末の前面パネルのスペースは最大限に解放され、画面対本体比を増加させる。さらに、補助表示領域の光透過率が主表示領域の光透過性能より大きいということを選ぶことによって、補助表示領域の下に配置されるカメラおよび光センサのような感光性機能デバイスは普通に機能することができ、機能デバイスの動作性能を最大限に保証する。
【００６８】
本開示の例示的な実施形態は、携帯電話、タブレットＰＣ、ｅブック・リーダ、マルチメディア・プレーヤ、ウェアラブル・デバイス、および車載端末のような電子デバイスであることが可能な端末をさらに開示する。端末は、図１の実施形態、または上記の任意選択の実施形態のいずれかによって提供される端末画面を備える。
【００６９】
１つの例において、図１０に示されるように、端末１は、基板（図示せず）および基板上に配置された表示層２０を含む端末画面を備える。任意選択で、タッチ感応層およびガラス・カバー・プレートは、表示層２０の上にさらに配置されることが可能である。
【００７０】
図１０に示されるように、表示層２０は、主表示領域２１および補助表示領域２２を含む。図１０は、主表示領域の最上部の縁部に形成されたノッチ部分に配置された１つの補助表示領域２２を表示層２０が含み、横断面が角丸長方形の形状の表示層２０を補助表示領域２２および主表示領域２１が相互に形成することを例としているにすぎない。補助表示領域２２および主表示領域２１の他の設計解決策については前述の実施形態を参照されたく、これは、実施形態によって繰り返されることはない。
【００７１】
補助表示領域２２の光透過性能は、主表示領域２１の光透過性能より優れている。例えば補助表示領域２２の光透過率は、主表示領域２１の光透過性能より大きい。任意選択で、補助表示領域２２の光透過率は、機能デバイスの通常の機能要求を満たすため、３０％より大きい。実際には、光透過率に対する前述の要件に適合する補助表示領域２２を生産するために、妥当な材料、工程、または画素分布パターンが、光透過率に関する機能デバイスの要件に応じて選択されることが可能である。任意選択で、技術の進歩につれて、補助表示領域２２の光透過率は、１００％に達するか近づく可能性がある。
【００７２】
機能デバイス（図示せず）は、補助表示領域２２の下に配置される。機能デバイスは、カメラ、イヤホン、光センサ、距離センサ、バイオセンサ、環境センサ、食品安全性検出センサ、健康センサ、および光送信器のうちの少なくとも１つを含むがこれらに限定されない。各機能デバイスの説明については上記の本文を参照されたく、これらは、本明細書で繰り返されることはない。１つの例において、カメラ、イヤホン、光センサ、および距離センサは、補助表示領域２２の下に配置される。
【００７３】
さらに、表示層２０と基板１０の間の比較的短い距離、例えば表示層２０と基板１０の間のほんの０．１ｍｍという距離を考慮すると、表示層２０と基板１０の間に機能デバイスが配置されることは不可能である。任意選択で、機能デバイスは基板１０の下に配置される。すなわち、機能デバイスおよび端末画面は積み重ねられる。機能デバイスは、端末画面のスペースを占有することなく、端末画面の下に置かれる。間違いなく、いくつかの可能な例において、厚さが比較的薄い機能デバイスは、表示層２０と基板１０の間に配置されることが可能であるが、これらは、本開示によって限定されない。
【００７４】
さらに、本開示の本実施形態によって提供される端末画面には穴がない。すなわち、主表示領域２１にも補助表示領域２２にも穴が存在しない。カメラおよびセンサのような機能デバイスは端末画面の下に配置されることが可能なので、これらの機能デバイスを設置するために、端末画面に穴が形成される必要はない。さらに、補助表示領域２２の製造属性は、主表示領域２１の製造属性とは異なるので、光透過性能を改善するために端末画面に穴を形成する代わりに、補助表示領域の光透過率２２が通常の機能要求を満たすことを保証するように補助表示領域２２の製造属性が適度に設計される限り、端末画面の下に配置された機能デバイスは普通に機能することができる。したがって、主表示領域２１の表示コンテンツも補助表示領域２２の表示コンテンツも、穴形成のために不完全になることはない。図１によって示される端末画面を例にとると、主表示領域２１を補助表示領域２２と組み合わせることによって形成される表示層２０全体には長方形セクションがあるので、主表示領域２１の表示コンテンツを補助表示領域２２の表示コンテンツと組み合わせることによって形成される表示層２０全体の表示コンテンツは、穴形成のために不完全であることも、すきまもない、長方形の画像である。
【００７５】
本開示によって提供される端末画面において、補助表示領域２２全体が表示する能力を有するということに留意されたい。しかし、いくつかの特定の局面において、補助表示領域２２の一定の部分または全体は、表示されないように制御されることが可能である。すなわち、補助表示領域２２がコンテンツを表示するかどうか、およびコンテンツが補助表示領域のどの部分に表示されるか表示されないかは、実際の要求に応じて柔軟に制御されることが可能である。
【００７６】
さらに、端末は、本開示によって説明される１つの端末画面、または本開示によって説明される複数の端末画面、または本開示によって説明される１つもしくは複数の端末画面、および１つもしくは複数の従来の端末画面を備えることが可能であるが、これらは、本開示の本実施形態によって限定されない。
【００７７】
本開示の本実施形態によって提供される端末によれば、カメラ、光センサ、および指紋認識センサのような機能デバイスは補助表示領域の下に配置され、その結果、端末の前面パネルのスペースを占有するこれらの機能デバイスは画面の下に配置され、端末の前面パネルのスペースを最大限に解放し、画面対本体比を増加させる。端末画面が境界を有する場合、境界は画面対本体比をある程度減らすことになるにすぎない。端末画面が境界を有していない場合、画面対本体比は１００％に達する可能性があり、全画面を、その真の意味において実現する。
【００７８】
さらに、補助表示領域の光透過率は、主表示領域の光透過率より大きくなるように設計されるので、補助表示領域の下に配置されるカメラおよび光センサのような感光性機能デバイスは、普通に動作することができ、機能デバイスの動作性能を最大限に保証する。
【００７９】
本開示の例示的な実施形態は、図１の実施形態、または上記の任意選択の実施形態のいずれかによって提供される端末画面を制御するために使用される、端末画面の制御方法をさらに提供する。方法は、端末画面の駆動用ＩＣ、もしくは端末内のプロセッサによって実行されること、または端末における処理能力を有する複数の構成要素の間の相互作用および連携を通じて実行されることが可能である。方法は、第１の同期信号を主表示領域に、また第２の同期信号を補助表示領域に送信することを行うステップを含む。
【００８０】
第１の同期信号および第２の同期信号は、同じコンテンツを同時に表示するために主表示領域および補助表示領域を制御するように構成される。同じコンテンツは、同じ表示または同じフレームと呼ばれることも可能である。主表示領域および補助表示領域は、２つの異なる駆動用ＩＣまたは同じ駆動用ＩＣの異なる部分によってそれぞれ制御されるので、主表示領域および補助表示領域が、同じコンテンツの異なる部分を表示する必要があるとき、主表示領域と補助表示領域の間のフレーム同期は、主表示領域および補助表示領域が異なるフレームを表示し、これらの領域の表示効果に悪影響を及ぼすのを防ぐように保証される必要がある。
【００８１】
本開示の本実施形態によって提供される端末画面の採用によって、主表示領域および補助表示領域の表示コンテンツは、完全な表示コンテンツを形成するように組み合わされる。完全な表示コンテンツは、この端末画面と同じサイズおよび形状を有するが、主表示領域と補助表示領域に分割されない別の端末画面によって表示されることが可能な完全な表示コンテンツに相当する。しかし補助表示領域の高い光透過率のおかげで、いくつかの機能デバイスは、補助表示領域の下に配置されることが可能であり、これらの通常の動作性能が保証される。したがって、本来、端末の前面パネル上に配置される必要がある機能デバイスは、端末画面の表示品質を犠牲にすることなく、端末画面の下に配置されることが可能である。したがって、端末画面の画面対本体比は、１００％に迫るか、ことによると１００％に達する可能性がある。
【００８２】
任意選択で、方法は、主表示領域内の第１の画素によって表示されるのに必要な第１の色に従って、第１の色に対応する第１の色彩パラメータを主表示領域に送信することと、補助表示領域内の第２の画素によって表示されるのに必要な第２の色に従って、第２の色に対応する第２の色彩パラメータを補助表示領域に送信することと、を行うステップをさらに含む。
【００８３】
第１の画素は、主表示領域内の任意の画素であることが可能である。第２の画素は、補助表示領域内の任意の画素であることが可能である。主表示領域および補助表示領域は異なる製造属性を有するので、主表示領域および補助表示領域が同じ色彩効果を提示するとき、用いられる色彩パラメータが異なることも可能である。色彩パラメータは、各色彩構成要素Ｒ、Ｇ、およびＢの値を有することができる。上記の方式を通じて、主表示領域および補助表示領域に対して第１の色彩パラメータおよび第２の色彩パラメータがそれぞれ提供される。第１の色と第２の色が同じであるとき、第１の色彩パラメータに従って第１の画素によって提示される色彩効果は、第２の色彩パラメータに従って第２の画素によって提示される色彩効果と同じであり、このことにより、主表示領域と補助表示領域の間の色の一致を保証する。
【００８４】
可能な実装形態において、第１の色に対応する第１の色彩パラメータは、主表示領域内の色と色彩パラメータの間の対応関係を含む第１の対応関係を検索することと、第１の対応関係から第１の色に対応する第１の色彩パラメータを取得することと、を行うステップによって取得される。同様に、第２の色に対応する第２の色彩パラメータは、補助表示領域内の色と色彩パラメータの間の対応関係を含む第２の対応関係を検索することと、第２の対応関係から第２の色に対応する第２の色彩パラメータを取得することと、を行うステップによって取得される。
【００８５】
別の可能な実装形態において、第１の色に対応する第１の色彩パラメータは、主表示領域の第１の色および画面パラメータに応じて、計算を通じて第１の色に対応する第１の色彩パラメータを得ることによって取得される。同様に、第２の色に対応する第２の色彩パラメータは、補助表示領域の第２の色および画面パラメータに応じて、計算を通じて第２の色に対応する第２の色彩パラメータを得ることによって取得される。
【００８６】
任意選択で、主表示領域の解像度が、補助表示領域の解像度より高い可能性があることを考慮すると、同じユーザ・インターフェースの異なる部分を２つの表示領域が表示するときに主表示領域の表示効果から補助表示領域の表示効果への滑らかな遷移を保証するために、方法は、主表示領域および補助表示領域によって表示されるのに必要なコンテンツに従って、主表示領域内の補助表示領域との結合部分の表示パラメータを判断することと、結合部分の表示パラメータを主表示領域に送信することと、を行うステップをさらに含む。主表示領域は、結合部分の表示パラメータに従って表示するように結合部分を制御するように構成される。
【００８７】
主表示領域内の、補助表示領域に最も近い結合部分は複数の画素を有することができる。結合部分の表示パラメータは、主表示領域の表示効果から補助表示領域の表示効果への滑らかな遷移を保証するために使用される。したがって、２つの表示領域における表示効果は、一致しない解像度のために、明らかに異なってはならない。ユーザが画面を読み取る体感は改善される。
【００８８】
さらに、端末が異なる作業ステータスにあるとき、補助表示領域は、異なる表示コンテンツを有することができる。任意選択で、端末が対象作業ステータスにあるとき、補助表示領域によって表示される必要があり、対象作業ステータスに対応する、対象表示コンテンツが判断され、補助表示領域は、対象表示コンテンツを表示するように制御される。本開示の本実施形態において、端末の作業ステータスの分割方式は限定されない。例えば、端末の作業ステータスは、撮影モード、交信モード、読取りモード、等を含むことができる。対象表示コンテンツは、１つまたは複数の色彩ブロックを含むことができる。
【００８９】
１つの例において、対象作業ステータスが撮影モードであることを例にとると、撮影モードにおいて、補助表示領域の下に配置されたカメラが動作する必要ある。端末は、補助表示領域の光透過率を改善するために、純粋な色彩（例えば黒）ブロックを表示するように補助表示領域を制御することができる。したがって、画像への干渉は可能な限り低減され、画像品質を改善する。
【００９０】
本開示のデバイスの実施形態は、本開示の方法の実施形態を実行するために使用されることが可能である。本開示のデバイスの実施形態において開示されない詳細については、方法の実施形態を参照することができる。
【００９１】
図１１は、本開示の態様による端末画面の制御デバイスのブロック図である。デバイスは、上記の方法の例を実行する機能を有する。デバイスは、ハードウェアまたはハードウェアによって実行される関連ソフトウェアを通じて実行されることが可能である。デバイスは上述の端末であることが可能であり、上述の端末内にセットされることも可能である。デバイスは、図１に示される実施形態、または上記の任意選択の実施形態のいずれかにおいて提供される端末画面を制御するように構成される。図１１に示されるように、デバイス１１００は、送信モジュール１１１０を含むことができる。
【００９２】
送信モジュール１１１０は、第１の同期信号を主表示領域に、また第２の同期信号を補助表示領域に送信するように構成され、第１の同期信号および第２の同期信号は、同じコンテンツを同時に表示するために主表示領域および補助表示領域を制御するように構成される。
【００９３】
任意選択で、送信モジュール１１１０はさらに、
主表示領域内の第１の画素によって表示されるのに必要な第１の色に従って、第１の色に対応する第１の色彩パラメータを主表示領域に送信し、
補助表示領域内の第２の画素によって表示されるのに必要な第２の色に従って、第２の色に対応する第２の色彩パラメータを補助表示領域に送信するように構成され、
第１の色と第２の色が同じであるとき、第１の色彩パラメータに従って第１の画素によって提示される色彩効果は、第２の色彩パラメータに従って第２の画素によって提示される色彩効果と同じである。
【００９４】
任意選択で、図１１に示されるように、デバイス１１００は、処理モジュール１１２０をさらに含む。
【００９５】
処理モジュール１１２０は、主表示領域および補助表示領域によって表示されるのに必要なコンテンツに従って、主表示領域内の補助表示領域との結合部分の表示パラメータを判断するように構成され、結合部分の表示パラメータは、主表示領域の表示効果から補助表示領域の表示効果への滑らかな遷移を保証するように構成される。
【００９６】
送信モジュール１１１０は、結合部分の表示パラメータを主表示領域に送信するようにさらに構成され、主表示領域は、結合部分の表示パラメータに従って表示するように結合部分を制御するように構成される。
【００９７】
上記の実施形態によって提供されるデバイスは、機能を実行するときの機能モジュールのそれぞれの上記の分割によって例示されるにすぎないということに留意されたい。実際には、上述の機能は、要件に応じて異なる機能モジュールによって割り当てられ、完成されることが可能であり、すなわち、デバイスの内部構造は、上述の機能の全てまたは一部を完成させるために様々な機能モジュールに分割されることが可能である。
【００９８】
上記の実施形態のデバイスについて、各モジュールによって行われる動作の特定の方法が、方法の実施形態において詳細に説明されたが、この説明は、本明細書において詳細に説明されない可能性がある。
【００９９】
本開示の例示的な実施形態は、本開示によって提供される端末画面の制御方法を実行することができる端末をさらに提供する。端末は、図１に示される実施形態またはいずれかの任意選択の実施形態において提供される端末画面を含み、端末は、プロセッサと、プロセッサによって実行可能な命令を格納するためのメモリと、をさらに含む。プロセッサは、以下を行うように構成される。
【０１００】
第１の同期信号を主表示領域に、また第２の同期信号を補助表示領域に送信することであって、第１の同期信号および第２の同期信号が、同じコンテンツを同時に表示するために主表示領域および補助表示領域を制御するように構成される、送信すること。
【０１０１】
任意選択で、プロセッサは、主表示領域内の第１の画素によって表示されるのに必要な第１の色に従って、第１の色に対応する第１の色彩パラメータを主表示領域に送信することと、補助表示領域内の第２の画素によって表示されるのに必要な第２の色に従って、第２の色に対応する第２の色彩パラメータを補助表示領域に送信することと、を行うようにさらに構成される。第１の色と第２の色が同じであるとき、第１の色彩パラメータに従って第１の画素によって提示される色彩効果は、第２の色彩パラメータに従って第２の画素によって提示される色彩効果と同じである。
【０１０２】
任意選択で、プロセッサは、主表示領域および補助表示領域によって表示されるのに必要なコンテンツに従って、主表示領域内の補助表示領域との結合部分の表示パラメータを判断することであって、結合部分の表示パラメータが、主表示領域の表示効果から補助表示領域の表示効果への滑らかな遷移を保証するように構成される、判断することと、結合部分の表示パラメータを主表示領域に送信することであって、主表示領域が、結合部分の表示パラメータに従って表示するように結合部分を制御するように構成される、送信することと、を行うようにさらに構成される。
【０１０３】
図１２は、本開示の態様に従って示される端末１２００の構造のブロック図である。例えば、端末１２００は、携帯電話、タブレットＰＣ、ｅブック・リーダ、マルチメディア・プレーヤ、ウェアラブル・デバイス、車載端末のような電子デバイスであることが可能である。
【０１０４】
図１２を参照すると、端末１２００は、処理構成要素１２０２、メモリ１２０４、電源構成要素１２０６、マルチメディア構成要素１２０８、オーディオ構成要素１２１０、入力／出力（Ｉ／Ｏ）インターフェース１２１２、センサ構成要素１２１４、および通信構成要素１２１６を含む構成要素の１つまたは複数を含むことができる。
【０１０５】
処理構成要素１２０２は典型的には、表示、通話、データ通信、カメラ動作、および録音動作と関連付けられた動作など、端末１２００の全体的な動作を制御する。処理構成要素１２０２は、上述の本方法におけるステップの全てまたは一部を行うための命令を実行するための、１つまたは複数のプロセッサ１２２０を含むことができる。さらに、処理構成要素１２０２は、処理構成要素１２０２と他の構成要素との間の対話を容易にする１つまたは複数のモジュールを含むことができる。例えば、処理構成要素１２０２は、マルチメディア構成要素１２０８と処理構成要素１２０２との間の対話を容易にするためのマルチメディアモジュールを含むことができる。
【０１０６】
メモリ１２０４は、端末１２００の動作をサポートするための様々なタイプのデータを格納するように構成される。このようなデータの例は、端末１２００上で動作する任意のアプリケーションまたは方法に対する命令、連絡先データ、電話帳データ、メッセージ、写真、ビデオ、等を含む。メモリ１２０４は、スタティック・ランダム・アクセス・メモリ（ＳＲＡＭ）、電気的消去可能プログラマブル・リード・オンリ・メモリ（ＥＥＰＲＯＭ）、消去可能プログラマブル・リード・オンリ・メモリ（ＥＰＲＯＭ）、プログラマブル・リード・オンリ・メモリ（ＰＲＯＭ）、リード・オンリ・メモリ（ＲＯＭ）、磁気メモリ、フラッシュ・メモリ、磁気または光ディスクなどの、任意のタイプの揮発性もしくは不揮発性のメモリデバイス、またはこれらの組合せを使用することによって実装されることが可能である。
【０１０７】
電源構成要素１２０６は、端末１２００の様々な構成要素に電力を供給する。電源構成要素１２０６は、電力管理システム、１つまたは複数の電源、および端末１２００における電力の生成、管理、および配布と関連付けられた他の任意の構成要素を含むことができる。
【０１０８】
マルチメディア構成要素１２０８は、端末１２００とユーザとの間の出力インターフェースを提供する端末画面を含む。端末画面は、図１に示される実施形態または上記の任意選択の実施形態のいずれかにおいて提供される端末画面であることが可能である。いくつかの実施形態において、マルチメディア構成要素１２０８は、前面カメラおよび／または背面カメラを含む。前面カメラおよび／または背面カメラは、写真モードまたはビデオ・モードなどの動作モードに端末１２００がある間、外部のマルチメディア・データを受け取ることができる。前面カメラおよび背面カメラのそれぞれは、固定式光学レンズ・システムであること、またはフォーカスおよび光学ズーム能力を有することが可能である。
【０１０９】
オーディオ構成要素１２１０は、オーディオ信号を出力および／または入力するように構成される。例えば、オーディオ構成要素１２１０は、電話モード、録音モード、および音声認識モードなどの動作モードに端末１２００があるときに外部オーディオ信号を受け取るように構成されたマイクロフォン（ＭＩＣ）を含む。受け取ったオーディオ信号は、メモリ１２０４にさらに格納されることも、通信構成要素１２１６を介して送信されることも可能である。いくつかの実施形態において、オーディオ構成要素１２１０は、オーディオ信号を出力するためのスピーカをさらに含む。
【０１１０】
Ｉ／Ｏインターフェース１２１２は、処理構成要素１２０２と周辺インターフェース・モジュールとの間のインターフェースを提供し、周辺インターフェース・モジュールは、キーボード、クリック・ホイール、ボタン、および同様のものであることが可能である。ボタンは、ホーム・ボタン、ボリューム・ボタン、スタート・ボタン、およびロック・ボタンを含むことができるがこれらに限定されない。
【０１１１】
センサ構成要素１２１４は、端末１２００の様々な態様のステータス評価を提供するための１つまたは複数のセンサを含む。例えば、センサ構成要素１２１４は、端末１２００のオン／オフ・ステータス、例えば端末１２００の表示器およびミニ・キーボードといった構成要素の相対位置を検出することができ、センサ構成要素１２１４は、端末１２００または端末１２００の構成要素の位置変化、端末１２００とのユーザ接触の有無、端末１２００の方向または加速度／減速度、および端末１２００の温度変化を検出することもできる。センサ構成要素１２１４は、任意の物理的接触なく、近くの物体の存在を検出するように構成された近接センサを含むことができる。センサ構成要素１２１４は、画像アプリケーションのために使用されるＣＭＯＳまたはＣＣＤ画像センサなどの光センサを含むこともできる。いくつかの実施形態において、センサ構成要素１２１４は、加速度計センサ、ジャイロスコープ・センサ、磁気センサ、圧力センサ、または温度センサを含むこともできる。
【０１１２】
通信構成要素１２１６は、端末１２００と他のデバイスとの間の有線通信またはワイヤレス通信を容易にするように構成される。端末１２００は、Ｗｉ−Ｆｉ、２Ｇ、もしくは３Ｇ、４Ｇ、５Ｇ、またはこれらの組合せなどの通信規格に基づくワイヤレス・ネットワークにアクセスすることができる。例示的実施形態において、通信構成要素１２１６は、ブロードキャスト・チャネルを介して外部ブロードキャスト管理システムからブロードキャスト信号、またはブロードキャスト関連情報を受け取る。例示的実施形態において、通信構成要素１２１６は、短距離通信を容易にするための近距離無線通信（ＮＦＣ）モジュールをさらに含む。
【０１１３】
例示的な実施形態において、端末１２００は、上述の方法を行うために、１つまたは複数の特定用途向け集積回路（ＡＳＩＣ）、デジタル・シグナル・プロセッサ（ＤＳＰ）、デジタル信号処理デバイス（ＤＳＰＤ）、プログラマブル・ロジック・デバイス（ＰＬＤ）、フィールド・プログラマブル・ゲート・アレイ（ＦＰＧＡ）、コントローラ、マイクロ・コントローラ、マイクロプロセッサ、または他の電子部品を実装されることが可能である。
【０１１４】
例示的な実施形態において、上述の方法を行うために、端末１２００内のプロセッサ１２２０によって実行可能な命令を含むメモリ１２０４など、命令を含む非一時的コンピュータ可読ストレージ媒体も提供される。例えば、非一時的コンピュータ可読ストレージ媒体は、ＲＯＭ、ランダム・アクセス・メモリ（ＲＡＭ）、ＣＤ−ＲＯＭ、磁気テープ、フロッピ・ディスク、光データ・ストレージ・デバイス、および同様のものであることが可能である。
【０１１５】
端末１２００のプロセッサによって実行されると、上述の端末画面の制御方法を実行することができるコンピュータ・プログラムを格納した非一時的コンピュータ可読ストレージ媒体が提供される。
【０１１６】
用語「複数」は本明細書において、２つ以上を指すということを理解されたい。「および／または」は本明細書において、３種類の関係を示す対応オブジェクトの対応関係を説明する。例えば、Ａおよび／またはＢは、Ａが単独で存在すること、ＡおよびＢが並行して存在すること、Ｂが単独で存在することとして表現されることが可能である。文字「／」は一般に、文脈のオブジェクトが「ＯＲ（または）」の関係であることを示す。
【０１１７】
本明細書で開示された本明細書の検討および本発明の実践の際に、本開示の他の実施形態が当業者に利用可能である可能性がある。本出願は、本開示から逸脱することなく、本開示の一般的な原理に従い、当技術分野における共通の一般的な知識または従来の技術的な手段を含む、本開示の任意の変形、使用、または適合を含むことを意図するものである。本明細書および例は、例証的なものとしてのみ示されることが可能であり、本開示の真の範囲および精神は、以下の請求の範囲によって示される。
【０１１８】
本開示は、上述され、添付の図面に示された正確な構造に限定されないということ、ならびに様々な修正および変更が、本開示の範囲から逸脱することなく行われることが可能であるということが理解されよう。本開示の範囲は添付の請求の範囲によってのみ限定されるということが意図される。
【図１】
2021502581.tif 000003
【図２Ａ】
2021502581.tif 000004
【図２Ｂ】
2021502581.tif 000005
【図３Ａ】
2021502581.tif 000006
【図３Ｂ】
2021502581.tif 000007
【図４】
2021502581.tif 000008
【図５】
2021502581.tif 000009
【図６】
2021502581.tif 000010
【図７】
2021502581.tif 000011
【図８】
2021502581.tif 000012
【図９Ａ】
2021502581.tif 000013
【図９Ｂ】
2021502581.tif 000014
【図９Ｃ】
2021502581.tif 000015
【図１０】
2021502581.tif 000016
【図１１】
2021502581.tif 000017
【図１２】
2021502581.tif 000018
【手続補正書】
【提出日】令和1年10月28日(2019.10.28)
【手続補正１】
【補正対象書類名】明細書
【補正対象項目名】００５２
【補正方法】変更
【補正の内容】
【００５２】
図９Ａから９Ｃは、主表示領域２１と補助表示領域２２の間のいくつかの可能な位置関係を示す。図９Ａにおいて、主表示領域２１は長方形であり、補助表示領域２２の下方に配置されている。図９Ｂにおいて、端末装置の上部および下部に配置された２つの補助表示領域２２がある。図９Ｃにおいて、端末装置は、上端付近の補助表示領域２２と、補助表示領域２２の下の主表示領域２１とを含む円形の表示画面を有する。
任意選択で、端末画面は、長方形、角丸長方形、および円のうちの少なくとも１つを含む規則的な形状である。間違いなく、他のいくつかの可能な実施形態において、端末画面は、不規則な形状であることが可能であり、本開示によって限定されることはない。
【手続補正２】
【補正対象書類名】特許請求の範囲
【補正対象項目名】全文
【補正方法】変更
【補正の内容】
【特許請求の範囲】
【請求項１】
基板および該基板上の表示層を含み、
該表示層が、主表示領域およびｎ個の補助表示領域を含み、ｎが正の整数であり、
該主表示領域、および該ｎ個の補助表示領域の中のｉ番目の補助表示領域が、異なる属性を有し、ｉがｎ以下の正の整数である、
端末画面。
【請求項２】
前記製造属性が、解像度を含み、前記主表示領域の該解像度が、前記ｉ番目の補助表示領域の該解像度より高い、請求項１に記載の端末画面。
【請求項３】
前記製造属性が、光透過性能を含み、前記主表示領域の該光透過性能が、前記ｉ番目の補助表示領域の該光透過性能より劣る、請求項１に記載の端末画面。
【請求項４】
前記製造属性が、画素特性を含む、請求項１に記載の端末画面。
【請求項５】
前記主表示領域および前記ｉ番目の補助表示領域が、同じ画素分布パターンを有し、少なくとも１つのダミー画素が、前記ｉ番目の補助表示領域に存在する、請求項４に記載の端末画面。
【請求項６】
前記主表示領域および前記ｉ番目の補助表示領域が、異なる画素分布パターンを有する、請求項４に記載の端末画面。
【請求項７】
前記製造属性が、製造工程を含む、請求項１に記載の端末画面。
【請求項８】
前記基板が、前記主表示領域の下の第１の基板領域、および前記ｎ個の補助表示領域の下のｎ個の第２の基板領域をそれぞれ含み、
該第１の基板領域、および該ｎ個の第２の基板領域の中のｊ番目の第２の基板領域が、異なる材料から作られ、ｊがｎ以下の正の整数である、
請求項１に記載の端末画面。
【請求項９】
前記第１の基板領域が、ポリイミドＰＩから作られ、前記ｊ番目の第２の基板領域が、ガラスから作られること、
前記第１の基板領域が、第１の属性を有するガラスから作られ、前記ｊ番目の第２の基板領域が、第２の属性を有するガラスから作られ、該第１の属性および該第２の属性が、２つの異なる属性であること、ならびに
前記第１の基板領域が、第３の属性を有するＰＩから作られ、前記ｊ番目の第２の基板領域が、第４の属性を有するＰＩから作られ、該第３の属性および該第４の属性が、２つの異なる属性であること、
のうちの１つをさらに含む、請求項８に記載の端末画面。
【請求項１０】
前記ｎ個の補助表示領域が、
前記主表示領域の最上部の縁部に形成されたノッチ部分にある第１の補助表示領域と、
前記主表示領域の左側の縁部に形成されたノッチ部分にある第２の補助表示領域と、
前記主表示領域の右側の縁部に形成されたノッチ部分にある第３の補助表示領域と、
前記主表示領域の最下部の縁部に形成されたノッチ部分にある第４の補助表示領域と、
前記主表示領域の中心部に形成されたノッチ部分にある第５の補助表示領域と
の領域のうちの少なくとも１つを含む、請求項１に記載の端末画面。
【請求項１１】
前記主表示領域および前記補助表示領域が、同じ駆動用ＩＣを共有することと、
前記主表示領域および前記補助表示領域が、異なる駆動用ＩＣを使用することと
のうちの１つを含む、請求項１に記載の端末画面。
【請求項１２】
前記ｉ番目の補助表示領域が単色表示機能を有することと、
前記ｉ番目の補助表示領域が色彩表示機能を有することと
のうちの１つを含む、請求項１に記載の端末画面。
【請求項１３】
端末画面を備え
該端末画面が、基板および該基板上の表示層を含み、
該表示層が、主表示領域および補助表示領域を含み、該補助表示領域の光透過性能が該主表示領域の該光透過性能より優れており、
機能デバイスが、該補助表示領域の下に配置される、
端末。
【請求項１４】
前記機能デバイスが、以下のハードウェアユニット、すなわち
カメラ、イヤホン、光センサ、距離センサ、バイオセンサ、環境センサ、食品安全性検出センサ、健康センサ、および光送信器
のうちの少なくとも１つを備える、請求項１３に記載の端末。
【請求項１５】
前記補助表示領域が、３０％より大きい光透過率を有する、請求項１３に記載の端末。
【請求項１６】
基板および該基板上の表示層を含み、該表示層が主表示領域および補助表示領域を含む、端末画面を制御するように構成され、
第１の同期信号を前記主表示領域に、また第２の同期信号を前記補助表示領域に送信するステップであって、該第１の同期信号および該第２の同期信号が、同じコンテンツを同時に表示するために前記主表示領域および前記補助表示領域を制御するように構成される、ステップを含み、
前記主表示領域および補助表示領域が、異なる属性を有する、端末画面の制御方法。
【請求項１７】
前記主表示領域内の第１の画素によって表示されるのに必要な第１の色に従って、該第１の色に対応する第１の色彩パラメータを前記主表示領域に送信するステップと、
前記補助表示領域内の第２の画素によって表示されるのに必要な第２の色に従って、該第２の色に対応する第２の色彩パラメータを前記補助表示領域に送信するステップと
をさらに含み、
該第１の色と該第２の色が同じであるとき、該第１の色彩パラメータに従って該第１の画素によって提示される色彩効果が、該第２の色彩パラメータに従って該第２の画素によって提示される色彩効果と同じである、
請求項１６に記載の制御方法。
【請求項１８】
前記主表示領域および前記補助表示領域によって表示されるのに必要な前記コンテンツに従って、前記主表示領域内の前記補助表示領域との結合部分の表示パラメータを判断するステップであって、該結合部分の該表示パラメータが、前記主表示領域の表示効果から前記補助表示領域の表示効果への滑らかな遷移を保証するように構成される、ステップと、
該結合部分の該表示パラメータを前記主表示領域に送信するステップであって、前記主表示領域が、該結合部分の該表示パラメータに従って表示するように該結合部分を制御するように構成される、ステップと
をさらに備える、請求項１６に記載の制御方法。
【国際調査報告】
2021502581.tif 000019
2021502581.tif 000020
2021502581.tif 000021
2021502581.tif 000022
2021502581.tif 000023